(57)【特許請求の範囲】
【請求項１】
リーダライタとＩＣデバイスとの間で各種のデータを無線によって通信する第１のアンテナと、
前記第１のアンテナで通信された前記データを制御する制御部とを備え、
所定の識別情報が予め設定された無線通信タグであって、
電波による起電を行うための起電用電波を受信する第２のアンテナと、
前記第２のアンテナから受信した前記起電用電波によって起電すると共に、起電された電力を蓄える充電部と、
前記ＩＣデバイスと前記充電部との間に配置され、前記第１のアンテナで前記データを受信したことに同期して、前記充電部から前記ＩＣデバイスに印加する電流の制御を行うダイオードとを有しており、
前記充電部により蓄えられた電力を用いることで、前記第１のアンテナ及び前記第２のアンテナのいずれか一方から前記識別情報に関するデータを前記リーダライタに対して与えることを特徴とする無線通信タグ。
【請求項２】
前記第１のアンテナが前記データを前記リーダライタから無線によって受信した際に、前記識別情報に関するデータが前記第２のアンテナから前記リーダライタへ無線によって送信されることを特徴とする請求項１に記載の無線通信タグ。
【請求項３】
前記第１のアンテナと前記リーダライタとの間で前記データを通信する際の電波周波数と、前記第２のアンテナから受信される前記起電用電波の周波数とは、互いに異なる周波数帯に設定されていることを特徴とする請求項１又は２に記載の無線通信タグ。
【請求項４】
前記識別情報が予め記憶されると共に、前記制御部で制御された前記データが記憶される記憶手段が備えられていることを特徴とする請求項１〜３のいずれかに記載の無線通信タグ。
【請求項５】
前記充電部には、整流回路及び二次電池部が備えられており、前記第２のアンテナから前記起電用電波が受信された際、前記整流回路により整流された起電力が前記二次電池部に蓄電されることを特徴とする請求項１〜４のいずれかに記載の無線通信タグ。
【請求項６】
前記整流回路は、ブリッジ回路として形成されていることを特徴とする請求項５に記載の無線通信タグ。
【請求項７】
電波による起電を行うための起電用電波を受信する共振回路を備え、充電部は、前記第２のアンテナ及び前記共振回路の双方によって起電されたそれぞれの電力を蓄えることを特徴とする請求項１〜６のいずれかに記載の無線通信タグ。
【請求項８】
前記第２のアンテナは、共振回路で構成されていることを特徴とする請求項１〜６のいずれかに記載の無線通信タグ。
【請求項９】
所定の識別情報が予め設定された無線通信タグと、
所定の識別情報に関するデータを前記無線通信タグとの間で通信するリーダライタと、
電波による起電を行うために、起電用電波を送出する電波送出装置とを備える無線通信システムであって、
前記無線通信タグは、
前記リーダライタとＩＣデバイスとの間で各種のデータを無線によって通信する第１のアンテナと、
前記第１のアンテナで通信された前記データを制御する制御部と、
電波による起電を行うための起電用電波を受信する第２のアンテナと、
前記第２のアンテナから受信した前記起電用電波によって起電すると共に、起電された電力を蓄える充電部と、
前記ＩＣデバイスと前記充電部との間に配置され、前記第１のアンテナで前記データを受信したことに同期して、前記充電部から前記ＩＣデバイスに印加する電流の制御を行うダイオードとを有しており、
前記充電部により蓄えられた電力を用いることで、前記第１のアンテナ及び前記第２のアンテナのいずれか一方から前記識別情報に関するデータを前記リーダライタに対して与えることを特徴とする無線通信システム。
【発明の詳細な説明】
【技術分野】
【０００１】
本発明は、リーダライタとの間で無線により通信を行う無線通信タグ及び当該無線通信タグを用いた無線通信システムに関する。
【背景技術】
【０００２】
従来、例えばＲＦＩＤタグを用いた無線通信タグは、その通信方式からアクティブタイプとパッシブタイプの２つに大別される。アクティブタイプは、無線通信タグを動作させるための電力の供給源であるバッテリを搭載したものであり、一方、パッシブタイプは、無線通信タグを動作させるための電力の供給が外部から行われるものである。この場合、アクティブタイプはバッテリを搭載する分、高コストとなるだけでなく、数年のサイクルで廃棄若しくはバッテリの交換が必要になる。一方、パッシブタイプは、低コスト化と長寿命化を実現できるため、その用途の拡充が期待されている。
【０００３】
ここで、パッシブタイプの通信方式としては、電磁結合方式、電磁誘導方式、電波方式の３方式が代表的であり、使用する周波数によって使い分けられている。例えば電波方式の無線通信タグ１は、図２に示すように、一般的にＲＦＩＤＩＣチップ３と送受信用アンテナ５とを備えて構成されており、リーダライタ(図示しない)との間で電波により通信が行われる。なお、電波の周波数帯として、例えばＵＨＦ帯やマイクロ波帯が利用され、また、送受信用アンテナ５として、例えば電波の半波長(λ／２)の全長を成すダイポールアンテナ５が利用されている。
【０００４】
この場合、パッシブタイプの無線通信タグ１では、リーダライタから送信された電波(読出電波)をダイポールアンテナ５で受信して充電し、これを電源としてＩＣチップ３を動作させることにより、当該ＩＣチップ３に記憶されているＩＤ(識別情報)をリーダライタに通信するようになっている。
【特許文献１】特開２００７−３４９５１号公報
【発明の開示】
【発明が解決しようとする課題】
【０００５】
ところで、上述したような従来のパッシブタイプの無線通信タグでは、その充電量に応じて、リーダライタにＩＤ(識別情報)を通信する際の通信距離が制限されてしまう。このため、通信に充分な充電量となるまで、リーダライタから送信された電波(読出電波)を受信し続ける必要があると共に、充電に必要な電界強度を確保する必要があった。そこで、特許文献１には、無線通信タグを動作させるための電力を常に商用電源から供給するようにしたことにより、常に充分な充電量を確保し、リーダライタと無線通信タグとの通信距離を長くする技術が提案されている。
【０００６】
しかしながら、特許文献１の技術では、商用電源を無線通信タグに接続させるための構成を別途構築しなければならず、そのため、無線通信タグの構成が複雑化し、当該無線通信タグの製造コストが上昇してしまう。また、特許文献１の技術では、無線通信タグの使用状態が商用電源を確保できるような環境に限定されてしまうため、当該無線通信タグの使用環境に一定の制限が課せられてしまう。
【０００７】
本発明は、このような問題を解決するためになされており、その目的は、使用環境を問わずに充分な充電量を確保し、リーダライタとの通信距離を長くすることが可能な低コストの無線通信タグ及び無線通信システムを提供することにある。
【課題を解決するための手段】
【０００８】
このような目的を達成するために、第１の発明に係る無線通信タグには、リーダライタとＩＣデバイスとの間で各種のデータを無線によって通信する第１のアンテナと、前記第１のアンテナで通信された前記データを制御する制御部とが備えられ、所定の識別情報が予め設定されている。そして、かかる無線通信タグは、電波による起電を行うための起電用電波を受信する第２のアンテナと、前記第２のアンテナから受信した前記起電用電波によって起電すると共に、起電された電力を蓄える充電部と、前記ＩＣデバイスと前記充電部との間に配置され、前記第１のアンテナで前記データを受信したことに同期して、前記充電部から前記ＩＣデバイスに印加する電流の制御を行うダイオードとを有しており、前記充電部により蓄えられた電力を用いることで、前記第１のアンテナ及び前記第２のアンテナのいずれか一方から前記識別情報に関するデータを前記リーダライタに対して与える。
第１の発明によれば、リーダライタとの間で所定の識別情報(一例として、ＲＦＩＤ)に関するデータを無線によって通信するアンテナ(第１のアンテナ)とは別に、電波による起電を行うために、起電用電波を受信するアンテナ(第２のアンテナ)を設けることで、非常に低コストで起電することができるとともに、起電された電気を充電部に充分蓄えることができる。これにより、使用環境を問わずに充分な充電量が確保され、前記識別情報に関するデータをリーダライタへ与える際、かかる蓄電気を使用することが可能となり、安定した遠距離通信を行うこと(すなわち、無線通信タグとリーダライタとの通信距離を長くすること)ができる。
【０００９】
第２の発明において、前記第１のアンテナが前記データを前記リーダライタから無線によって受信した際に、前記識別情報に関するデータが前記第２のアンテナから前記リーダライタへ無線によって送信される。
第２の発明よれば、前記識別情報に関するデータの送受信をそれぞれ専用のアンテナ、具体的には受信を第１のアンテナ、送信を第２のアンテナで行うことができるため、かかるデータ送受信を効率よく行うことができる。
【００１０】
第３の発明において、前記第１のアンテナと前記リーダライタとの間で前記データを通信する際の電波周波数(例えば、ＵＨＦ帯(８６０ＭＨｚ〜９６０ＭＨｚ帯))と、前記第２のアンテナから受信される前記起電用電波の周波数(例えば、１３.５６ＭＨｚ帯や２.４５ＧＨｚ帯))とは、互いに異なる周波数帯に設定されている。
第３の発明によれば、第２のアンテナに受信される起電用電波の周波数精度や安定性、変調などをリーダライタから第１のアンテナに受信される電波とは完全に独立して設定することができる。これにより、第１及び第２のアンテナで同一周波数の電波を使用した場合の相互の干渉が発生する虞を無くすと共に、例えば、起電用電波の出力周波数を電波出力の規制の緩い周波数帯に設定することが可能となり、当該起電用電波をその出力を高めて送出し、無線通信タグにおける起電効率及び充電効率を高めることができる。
【００１１】
第４の発明において、無線通信タグには、前記識別情報が予め記憶されると共に、前記制御部で制御された前記データが記憶される記憶手段が備えられている。
第４の発明によれば、かかるデータを記憶するための容量設計の自由度が増し、大容量のデータ通信が可能な無線通信タグを実現することができる。
【００１２】
第５の発明において、前記充電部には、整流回路及び二次電池部(例えば、リチウム電池やコンデンサなど)が備えられており、前記第２のアンテナから前記起電用電波が受信された際、前記整流回路により整流された起電力が前記二次電池部に蓄電される。また、第６の発明においては、前記整流回路をブリッジ回路として形成している。
第５の発明によれば、交流電力を直流電力に変換して充電することができ、第６の発明によれば、かかる整流回路を簡易に形成することができる。
【００１３】
第７の発明において、無線通信タグは、電波による起電を行うための起電用電波を受信する共振回路を備え、充電部は、前記第２のアンテナ及び前記共振回路の双方によって起電されたそれぞれの電力を蓄える。また、第８の発明において、前記第２のアンテナは、共振回路で構成されている。
第７及び第８の発明によれば、簡易に構成可能な共振回路を適用することで、タグ内部での共振により、タグ内部でも起電可能となるため、低コストで且つ使用環境を問わず充分な充電量を確保することができる。
【００１４】
また、上述した目的を達成するために、第９の発明に係る無線通信システムは、所定の識別情報が予め設定された無線通信タグと、所定の識別情報に関するデータを前記無線通信タグとの間で通信するリーダライタと、電波による起電を行うために、起電用電波を送出する電波送出装置とを備え、前記無線通信タグは、前記リーダライタとＩＣデバイスとの間で各種のデータを無線によって通信する第１のアンテナと、前記第１のアンテナで通信された前記データを制御する制御部と、電波による起電を行うための起電用電波を受信する第２のアンテナと、前記第２のアンテナから受信した前記起電用電波によって起電すると共に、起電された電力を蓄える充電部と、前記ＩＣデバイスと前記充電部との間に配置され、前記第１のアンテナで前記データを受信したことに同期して、前記充電部から前記ＩＣデバイスに印加する電流の制御を行うダイオードとを有しており、前記充電部により蓄えられた電力を用いることで、前記第１のアンテナ及び前記第２のアンテナのいずれか一方から前記識別情報に関するデータを前記リーダライタに対して与える。
第９の発明によれば、無線通信タグにおける起電及び充電を簡易な電波送出装置とアンテナのみで構成でき、非常に低コストで実現することができる。さらに、例えば、電界強度の弱い場所や電波状態の悪い場所などにおいても、無線通信タグの駆動電力を充電部から長期に亘って充分に確保(供給)することができる。これにより、識別情報に関するデータの送受信を安定して行うことができるとともに、長距離通信を行うことができる。
【発明の効果】
【００１５】
本発明によれば、使用環境を問わずに充分な充電量を確保し、リーダライタとの通信距離を長くすることが可能な低コストの無線通信タグ及び無線通信システムを実現することができる。
【発明を実施するための最良の形態】
【００１６】
以下、本発明の一実施の形態に係る無線通信タグ及び無線通信システムについて添付図面を参照して説明する。
本実施の形態では、電波によって起電を行うパッシブタイプの無線通信タグを想定している。当該無線通信タグ２は、例えば図１(ｄ)に示すように、電波送出装置４から送出された起電用電波４ｅによって起電した電力を蓄電(充電)し、これを電源としてリーダライタ６(実際には、リーダライタ６に接続された通信用アンテナ６ｔ)との間で各種のデータの無線通信による読み取り(或いは書き込み)を行うことができる。
【００１７】
なお、電波送出装置４は、無線通信タグ２によって受信可能な周波数の起電用電波４ｅを送出できれば良く、市販の発信装置を任意に選択して適用することが可能である。この場合、起電用電波４ｅの周波数は、後述する無線通信タグ２の第２のアンテナ１０によって受信可能な周波数に対応して設定されるため、ここでは特に数値限定しない。また、通信用アンテナ６ｔとしては、通信精度(感度、利得)の高い例えばＵＨＦアンテナを適用すれば良い。
【００１８】
図１(ａ),(ｂ)に示すように、本実施の形態の無線通信タグ２には、リーダライタ６(通信用アンテナ６ｔ)との間で各種のデータを無線によって通信する第１のアンテナ８と、電波送出装置４(図１(ｄ))から送出された起電用電波４ｅを受信する第２のアンテナ１０と、当該無線通信タグ２に予め設定された所定の識別情報に関するデータをリーダライタ６(図１(ｄ))に対して与える動作を実行するトランスポンダ１２とが設けられている。
【００１９】
トランスポンダ１２は、受信したデータ(電気信号)を中継送信したり、或いは当該データ(電気信号)に基づいて何らかの応答信号を返す機能を有している。かかる機能を実現するために、本実施の形態のトランスポンダ１２は、第１のアンテナ８で通信(受信)されたデータを制御する制御部と、第２のアンテナ１０で受信した起電用電波４ｅ(図１(ｄ))によって起電すると共に、起電された電力を蓄える充電部と、識別情報が予め記憶されると共に、制御部で制御されたデータが記憶される記憶手段とを備えている。
【００２０】
ここで、制御部には、ＩＣチップ１４が配設されており、当該ＩＣチップ１４は、例えばトランジスタ、ダイオード、各種メモリ(ＲＯＭ、ＲＡＭ)、抵抗器などの素子(図示しない)が集積された集積回路として構成されている。この場合、記憶手段としては、制御部の各種メモリを適用しても良いし、或いは、無線通信タグ２に例えばフラッシュメモリなどの記憶素子(図示しない)を新たに増設しても良い。これにより、識別情報(ＲＦＩＤ)に関するデータを記憶するための容量設計の自由度が増し、大容量のデータ通信が可能な無線通信タグ２を実現することができる。
【００２１】
なお、第１のアンテナ８としては、リーダライタ６との間で無線通信可能な既存のアンテナ(例えば、ダイポールアンテナ、ループアンテナ)を、例えば無線通信タグ２の使用目的や使用環境に応じて任意に適用すれば良い。この場合、第１のアンテナ８は、その全長(アンテナ長)８Ｌがリーダライタ６との間で通信されるデータ(電波)の半波長(λ／２)となるように設定することが好ましい。これにより、通信利得(ゲイン)が最大となり、データ(電波)を効率良く通信することができる。
【００２２】
また、充電部には、整流回路１６及び二次電池部としての充電用コンデンサ１８が設けられており、第２のアンテナ１０から起電用電波４ｅが受信された際、整流回路１６により整流された起電力が充電用コンデンサ１８に蓄電される。この場合、整流回路１６には、例えば１個のダイオードで構成可能な半波整流方式や、４個のダイオードを使って整流するブリッジ整流方式など各種の方式のものがあるが、本実施の形態では一例として、整流回路１６は、４個のダイオード１６ｄを適用したブリッジ回路として形成されている。これにより、常に安定した直流電圧(電流)を得ることができる。なお、二次電池部は、充電用コンデンサ１８の他に例えばリチウム電池など電圧(電流)が蓄電(充電)可能に構成されていれば良く、当該二次電池部を複数設けても良い。
【００２３】
更に、上述した充電部(コンデンサ１８)と制御部(ＩＣチップ１４)との間には、ダイオード２０が介在されている。当該ダイオード２０は、コンデンサ１８に蓄電(充電)された電力(電荷、或いは電気エネルギ)によってＩＣチップ１４を動作させて、リーダライタ６(通信用アンテナ６ｔ)との間で各種のデータの無線通信による読み取り(書き込み)を行う際に、コンデンサ１８からＩＣチップ１４に印加する直流電圧(電流)のＯＮ／ＯＦＦ制御を行う。
【００２４】
このような無線通信タグ２において、電波送出装置４から送出された起電用電波４ｅが第２のアンテナ１０によって受信されると、当該第２のアンテナ１０を介してトランスポンダ１２に交流電圧(電流)が印加(出力)される。ここで、起電用電波４ｅは、電場(電界)と磁場(磁界)とが交互に発生しながら伝搬する電磁波であり、第２のアンテナ１０に交流磁場が作用した際に、当該第２のアンテナ１０を介して変換された交流電圧(電流)がトランスポンダ１２に印加(出力)されることになる。
【００２５】
このとき、トランスポンダ１２に印加(出力)された交流電圧(電流)は、整流回路１６によって直流電圧(電流)に変換された後、コンデンサ１８に蓄電(充電)される。なお、かかる蓄電(充電)は、電波送出装置４から送出された起電用電波４ｅが無線通信タグ２の第２のアンテナ１０に受信されている間、常に連続して行われる。これにより、当該無線通信タグ２のコンデンサ１８は、常にフル蓄電(充電)状態に維持される。
【００２６】
この状態において、リーダライタ６から通信用アンテナ６ｔを介して無線送信されたデータ(例えば、読出電波)が、無線通信タグ２の第１のアンテナ８で受信されたとき、これに同期して、ダイオード２０がコンデンサ１８からＩＣチップ１４に印加する直流電圧(電流)のＯＮ制御を行って、コンデンサ１８にフル蓄電(充電)された電力(電荷、或いは電気エネルギ)によってＩＣチップ１４を動作させることができる。このとき、ＩＣチップ１４のメモリに記憶された識別情報に関するデータ(例えば、タグ固有の識別符号(ＲＦＩＤ)、タグの使用環境(状態)に関する情報など)が短時間に読み出され、第２のアンテナ１０からリーダライタ６(通信用アンテナ６ｔ)へ効率良く無線送信される。
【００２７】
以上、本実施の形態によれば、リーダライタ６との間で所定のデータ(例えば、読出電波)を無線通信する第１のアンテナ８とは別に、充電部を蓄電(充電)するための起電用電波４ｅを受信する第２のアンテナ１０を設けたことで、無線通信タグ２の使用環境を問わず、短時間で効率良く充電部(コンデンサ１８)を蓄電(充電)し、常にフル蓄電(充電)状態に維持することができる。これにより、識別情報に関するデータをリーダライタ６へ与える際、フル蓄電(充電)状態の電力(電荷、或いは電気エネルギ)を使用することにより、遠距離通信を常に安定して行うことができる。
【００２８】
また、本実施の形態によれば、充電部(コンデンサ１８)を常にフル蓄電(充電)状態に維持することができるため、識別情報に関するデータをリーダライタ６へ与える際のデータ送信出力を常に最大に維持し続けることができる。これにより、無線通信タグ２とリーダライタ６(実際には、リーダライタ６に接続された通信用アンテナ６ｔ)と間の通信距離Ｌｄ(図１(ｄ))を従来に比べて飛躍的に長くすることができる。
【００２９】
更に、本実施の形態によれば、データ(読出電波)の受信専用の第１のアンテナ８とは別に、充電部を蓄電(充電)するための起電用電波４ｅの受信専用の第２のアンテナ１０を設けたことにより、データ送受信を効率良く行うことができる。この場合、第１のアンテナ８とリーダライタ６との間で通信する際の電波周波数(例えば、ＵＨＦ帯(８６０ＭＨｚ〜９６０ＭＨｚ帯))と、第２のアンテナ１０から受信される起電用電波４ｅの周波数(例えば、１３.５６ＭＨｚ帯や２.４５ＧＨｚ帯))とは、互いに異なる周波数帯に設定することが好ましい。
【００３０】
こうすることで、第２のアンテナ１０に受信される起電用電波４ｅの周波数精度や安定性、変調などをリーダライタ６から第１のアンテナ８に受信される電波とは完全に独立して設定することができる。これにより、第１及び第２のアンテナ８,１０で同一周波数の電波を使用した場合の相互の干渉が発生する虞を無くすと共に、例えば起電用電波４ｅの出力周波数を電波出力の規制の緩い周波数帯に設定することが可能となり、この結果、当該起電用電波４ｅをその出力を高めて送出し、無線通信タグ２における起電効率及び充電効率を高めることができる。ところで、通信で使用可能な周波数帯域が制限されている場合、両端の周波数帯域は隣接周波数帯域との干渉防止用のガードバンドとされるため、実際に使用可能な周波数帯域はさらに狭くなる。従って、起電用電波４ｅの出力周波数を電波出力の規制の緩い周波数帯に設定可能となることのメリットは大きい。
【００３１】
また、本実施の形態によれば、無線通信タグ２の充電部を蓄電(充電)するための起電用電波４ｅは、ＩＣチップ１４に記憶された識別情報に関するデータの読み出しに使用されないため、その周波数精度や安定性、変調などは一切考慮する必要は無い。このため、当該起電用電波４ｅを送出するための電波送出装置４は、例えば簡易な発信装置とアンテナのみで構成することができ、非常に低コストで実現することができる。これにより、当該電波送出装置４と無線通信タグ２及びリーダライタ６(通信用アンテナ６ｔ)を備えた無線通信システム(図１(ｄ))を低コストで且つ簡単に実現することができる。
【００３２】
また、このような無線通信システムでは、例えば電界強度の弱い場所や電波状態の悪い場所などにおいても、無線通信タグ２の駆動電力を充電部から長期に亘って充分に確保(供給)することができる。これにより、識別情報に関するデータの送受信を安定して行うことができると共に、長距離通信を行うことができる。
【００３３】
また、上述した実施の形態(無線通信タグ２、無線通信システム)において、第２のアンテナ１０としては、電波送出装置４との間で無線通信可能な既存のアンテナ(例えば、ダイポールアンテナ、ループアンテナ)を、例えば無線通信タグの使用目的や使用環境に応じて任意に適用すれば良い。また、第２のアンテナ１０は、その全長(アンテナ長)１０Ｌ(図１(ｂ))が電波送出装置４との間で通信されるデータ(電波)の半波長(λ／２)となるように設定することが好ましい。これにより、通信利得(ゲイン)が最大となり、データ(電波)を効率良く通信することができる。
【００３４】
この場合、第２のアンテナ１０のアンテナ長１０Ｌは、上述した第１のアンテナ８のアンテナ長に関わらず任意(自由)な長さに設定することが可能であるため、ここでは特に数値限定しない。
なお、上述した実施の形態において、第２のアンテナ１０とリーダライタ６との間で、ＩＣチップ１４のメモリに記憶された各種データ(識別情報に関するデータなど)の無線による送受信を行わせるように構成しても良い。
【００３５】
更に、上述した実施の形態では、無線通信タグ２の第２のアンテナ１０として例えばダイポールアンテナやループアンテナを想定して説明したが、これに代えて例えば図１(ｃ)に示すように、共振回路によって第２のアンテナ１０を構成しても良い。
【００３６】
かかる共振回路は、電波送出装置４から送出された起電用電波４ｅが印加されると、固有振動を起こして共振し、これにより、電力(電荷、或いは電気エネルギ)が、整流回路１６を介してコンデンサ１８に蓄電(充電)される。そして、これを電源として、上述した実施の形態と同様に、リーダライタ６との間でデータの無線通信による識別情報の読み取りを行うことができる。これによれば、簡易に構成可能な共振回路を備えることで、タグ内部での起電が可能となり、低コストで且つ使用環境を問わず充分な充電量を確保することができる。なお、共振回路は、複数個設置しても良い。これにより、複数の共振回路を設置することにより、１個の無線通信タグ２で複数の周波数帯での利用が可能となる。例えば一方の共振回路をＵＨＦ帯、他方の共振回路を１３.５６ＭＨｚ帯(或いは、２.４５ＧＨｚ帯)として構成することが可能となる。従って、後述のそれぞれの用途や場所に応じた周波数の使い分け、併用も可能となる。更には、複数の共振回路を設けることで、各共振回路から起電する電力量を増大させて蓄電(充電)でき、無線通信タグ２の大型化に伴う必要な電力量もカバー可能となる。
【００３７】
なお、第２のアンテナ１０と共振回路を併用させる(図示省略)ように構成しても良い。この場合、第２のアンテナ１０の受信電力及び共振回路で起電した電力により、さらに低コストで且つ使用環境を問わず充分な充電量を確保することができる。
また、上述した実施の形態において、無線通信タグ２の用途について特に言及しなかったが、例えば、工場で生産した段階で製品に無線通信タグを貼り付け、その後の配送ルートで物品の動きを追跡するという流通用途や、物品の流通過程でその物がどこを通って、どういう加工をされてどこに出荷されたかといった履歴情報を記録する履歴管理用途、或いは、人が今どこにいるのかというプレゼンス情報を管理するプレゼンス管理用途など、各種多様の用途に応用することができる。
【図面の簡単な説明】
【００３８】
【図１】(ａ)は、本発明の一実施の形態に係る無線通信タグの構成を示す側面図、(ｂ)は、同図(ａ)に示された無線通信タグの構成を示す平面図、(ｃ)は、本発明の他の実施の形態に係る無線通信タグの構成を示す平面図、(ｄ)は、本発明の無線通信タグを用いた無線通信システムの構成を示す図。
【図２】従来の無線通信タグの構成を示す側面図。
【符号の説明】
【００３９】
２  無線通信タグ
６  リーダライタ
８  第１のアンテナ
１０  第２のアンテナ
１４  ＩＣチップ(制御部)
１６  整流回路(充電部)
１８  コンデンサ(充電部)
【図１】
0005096102.tif 000002
【図２】
0005096102.tif 000003